(57)【要約】  ヒ素イオン及びアンチモンイオンの合計濃度が１５質量ｐｐｍ以下であるレドックスフロー電池用電解液。上記のレドックスフロー電池用電解液の一例として、好ましくは前記ヒ素イオンの濃度が１０質量ｐｐｍ以下である形態が挙げられる。また、上記のレドックスフロー電池用電解液の一例として、好ましくは前記アンチモンイオンの濃度が１０質量ｐｐｍ以下である形態が挙げられる。
2016017393.tif 000002
【特許請求の範囲】
【請求項１】
ヒ素イオン及びアンチモンイオンの合計濃度が１５質量ｐｐｍ以下であるレドックスフロー電池用電解液。
【請求項２】
前記ヒ素イオンの濃度が１０質量ｐｐｍ以下である請求項１に記載のレドックスフロー電池用電解液。
【請求項３】
前記アンチモンイオンの濃度が１０質量ｐｐｍ以下である請求項１又は請求項２に記載のレドックスフロー電池用電解液。
【請求項４】
バナジウムイオンの濃度が１ｍｏｌ／Ｌ以上３ｍｏｌ／Ｌ以下、
フリーの硫酸の濃度が１ｍｏｌ／Ｌ以上４ｍｏｌ／Ｌ以下、
リン酸の濃度が１．０×１０−４ｍｏｌ／Ｌ以上７．１×１０−１ｍｏｌ／Ｌ以下、
アンモニウムの濃度が２０質量ｐｐｍ以下、
ケイ素の濃度が４０質量ｐｐｍ以下である請求項１〜請求項３のいずれか１項に記載のレドックスフロー電池用電解液。
【請求項５】
請求項１〜請求項４のいずれか１項に記載のレドックスフロー電池用電解液が供給されるレドックスフロー電池を備えるレドックスフロー電池システム。
【請求項６】
前記レドックスフロー電池に対して、前記レドックスフロー電池用電解液の供給及び排出を行う配管と、
前記配管の一部に設けられた透明部とを備える請求項５に記載のレドックスフロー電池システム。
【発明の詳細な説明】
【技術分野】
【０００１】
本発明は、蓄電池の一つであるレドックスフロー電池を備えるレドックスフロー電池システム、及びレドックスフロー電池に用いる電解液に関する。特に、配管などに付着し得る析出物の発生を低減できるレドックスフロー電池用電解液及びレドックスフロー電池システムに関するものである。
【背景技術】
【０００２】
近年、電力不足の深刻化に伴って、風力発電や太陽光発電などといった自然エネルギーの急速導入や、電力系統の安定化が世界的に問題となっている。上記の対策技術の一つとして、大容量の蓄電池を設置して、出力変動の平滑化、余剰電力の貯蓄、負荷平準化などを図ることが注目されている。【０００３】
大容量の蓄電池の一つにレドックスフロー電池（以下、ＲＦ電池と呼ぶことがある）がある。ＲＦ電池は、１．メガワット級（ＭＷ級）の大容量化が容易である、２．長寿命である、３．電池の充電状態が正確に監視可能である、などの特徴を有しており、電力系統の安定化用途の蓄電池として最適であると期待される。【０００４】
ＲＦ電池は、正極電極と、負極電極と、両電極間に介在された隔膜とを備える電池セル部を主体とし、正極電解液及び負極電解液がそれぞれ供給されて充放電を行う。代表的には、上記電池セル部と電解液を貯留するタンクとの間を配管で接続し、この配管にポンプを設けて、上記電池セル部に各極の電解液を循環供給するシステムを構築して利用される。【０００５】
ＲＦ電池に用いられる電解液は、酸化還元により価数が変化する金属元素を活物質として含む。昨今、特許文献１，２に記載されるように、正負両極の活物質としてバナジウムイオンを含む全バナジウム系電解液が代表的である。
【先行技術文献】
【特許文献】
【０００６】
【特許文献１】特開２００２−３６７６５７号公報
【特許文献２】特開２００７−３１１２０９号公報
【発明の概要】
【発明が解決しようとする課題】
【０００７】
本発明者らが調べたところ、ＲＦ電池システムの運転に伴い、ＲＦ電池システムに備える構成部材のうち、特に電解液の供給及び排出を行う配管に析出物が付着するとの知見を得た。そのため、上記配管に経時的に付着し得る析出物を低減可能なＲＦ電池用電解液及びＲＦ電池システムの開発が望まれる。【０００８】
上記配管に析出物が付着すると、１．電解液の流通面積の低減による圧送損失の増大、２．配管のうち電解液を冷却するための熱交換領域では熱交換効率の低下、ひいては電解液の冷却不足による電池特性の低下、３．析出物の付着量の過多による配管の閉塞、といった問題が生じ得る。更に、電解液の流通状態を目視確認するためなどの目的で、配管のうち一部を透明にしている場合には析出物の付着によって透明部分の透明性の劣化を招き、適切に確認できない、といった維持管理面などについての問題も生じ得る。析出物の多くは不透明であるからである。【０００９】
本発明者らが調べたところ、上記配管に付着していた析出物は、特許文献１に記載される活物質であるバナジウムを含む化合物（例えば、アンモニウム−バナジウム化合物）とは異なり、活物質元素ではない不純物元素を主成分とする化合物などを含む場合があるとの知見を得た。そこで、活物質元素を含む析出物だけではなく、それ以外の析出物について低減可能なＲＦ電池用電解液の開発が望まれる。【００１０】
特許文献２は、析出物ではなく、電解液から発生するガスの除去方法を開示している。しかし、特許文献２に記載されるガスの除去装置を設けていても、ガスを生成し得る成分のうち、一部はガスとなるものの、他部は配管内面に付着するなどして化合物を形成し、ガスとして排出できない場合がある。この場合、上記化合物が析出物として配管に付着し得ると考えらえる。【００１１】
本発明は上述の事情を鑑みてなされたものであり、その目的の一つは、配管などに付着し得る析出物の発生を低減できるレドックスフロー電池用電解液及びレドックスフロー電池システムを提供することにある。
【課題を解決するための手段】
【００１２】
本発明の一態様に係るレドックスフロー電池用電解液は、不純物元素イオンであるヒ素イオン及びアンチモンイオンの合計濃度が１５質量ｐｐｍ以下である。【００１３】
本発明の一態様に係るレドックスフロー電池システムは、上記のレドックスフロー電池用電解液が供給されるレドックスフロー電池を備える。
【発明の効果】
【００１４】
上記のレドックスフロー電池用電解液をレドックスフロー電池システムに利用した場合、配管などに付着し得る析出物の発生を低減できる。これにより、上記のレドックスフロー電池システムでは、析出物に起因する電解液の圧送損失の増大、熱交換効率の低下、電池特性の低下を抑制できる上に、長期に亘り良好に運転できる。
【図面の簡単な説明】
【００１５】
【図１】実施形態のレドックスフロー電池システムの概略構成と、電池の動作原理とを示す説明図である。
【発明を実施するための形態】
【００１６】
［本発明の実施形態の説明］
本発明者らは、上述の配管などに付着していた析出物を低減するために種々検討した。ここで、ＲＦ電池用電解液は、活物質となる金属元素イオン以外に、不純物元素イオン、不純物化合物イオンといった不純物イオンを含有し得る。ＲＦ電池用電解液中の不純物イオンの主な由来は、電解液の原料、電解液の製造工程で使用する材料や部材、電解液の搬送や保管などに使用する部材など種々のものが挙げられる。その他、ＲＦ電池システムの運転時にＲＦ電池用電解液が接触し得るＲＦ電池システムの構成部材からの由来も考えられる。このような不純物イオンのうち、配管などに付着し易い析出物を形成する不純物元素イオンがある、との知見を得た。そこで、配管などに付着していた析出物の成分分析の結果から、この析出物に含まれていた特定の不純物元素を低減するために、電解液に対して特定の不純物元素イオンの除去操作を行ったところ、配管などに付着し得る析出物を低減できた。また、上記特定の不純物元素イオンを低減することで、有害なガスの発生をも低減できた。本発明は、これらの知見に基づくものである。以下、本発明の実施態様を列記して説明する。
【００１７】
（１）  本発明の一態様に係るレドックスフロー電池（ＲＦ電池）用電解液は、ヒ素イオン及びアンチモンイオンの合計濃度が１５質量ｐｐｍ以下である。
【００１８】
上記のＲＦ電池用電解液は、ヒ素イオン及びアンチモンイオンの双方を含む場合でも、その含有量が非常に少ない。そのため、上記のＲＦ電池用電解液は、ＲＦ電池システムに用いた場合に配管などに付着し得る析出物、即ち、ヒ素及びアンチモンの少なくとも一方の元素を含む化合物などからなる析出物の発生を低減できる。また、上記のＲＦ電池用電解液を備えるＲＦ電池システム（実施形態のＲＦ電池システム）は、析出物に起因する電解液の圧送損失の増大、熱交換効率の低下、電池特性の低下を抑制できる上に、長期に亘り、配管の閉塞が実質的に生じず、良好に運転できる。上記ＲＦ電池システムが透明部を備える場合には、長期に亘り透明部の透明性の劣化などを抑制でき、透明性に優れる。このことから、上記のＲＦ電池用電解液は、電解液の圧送損失が少なく、熱交換効率が良く、電池特性に優れるＲＦ電池システムや、透明部を用いた管理などが行い易いＲＦ電池システムの構築に寄与することができる。
【００１９】
また、上記のＲＦ電池用電解液は、ヒ素イオン及びアンチモンイオンの含有量が特定の範囲内であるため、ＲＦ電池システムに用いた場合に少なくとも一方の元素を含む有害ガスなどの発生をも低減できる。
【００２０】
（２）  上記のＲＦ電池用電解液の一例として、上記ヒ素イオンの濃度が１０質量ｐｐｍ以下である形態が挙げられる。
【００２１】
上記形態は、ＲＦ電池システムに用いた場合に、ヒ素を少なくとも含む化合物といった析出物の生成を低減できる上に、ヒ素を含む有害ガスの発生も低減できる。
【００２２】
（３）  上記のＲＦ電池用電解液の一例として、上記アンチモンイオンの濃度が１０質量ｐｐｍ以下である形態が挙げられる。
【００２３】
上記形態は、ＲＦ電池システムに用いた場合に、アンチモンを少なくとも含む化合物といった析出物の生成を低減できる上に、アンチモンを含む有害ガスの発生も低減できる。
【００２４】
（４）  上記のＲＦ電池用電解液は、バナジウムイオンの濃度が１ｍｏｌ／Ｌ以上３ｍｏｌ／Ｌ以下、フリーの硫酸の濃度が１ｍｏｌ／Ｌ以上４ｍｏｌ／Ｌ以下、リン酸の濃度が１．０×１０−４ｍｏｌ／Ｌ以上７．１×１０−１ｍｏｌ／Ｌ以下、アンモニウムの濃度が２０質量ｐｐｍ以下、ケイ素の濃度が４０質量ｐｐｍ以下である形態が挙げられる。
【００２５】
上記形態は、バナジウムイオンを活物質として含み、硫酸及びリン酸を含む溶液を主体とする全バナジウム系電解液である。上記形態は、上述の成分がそれぞれ特定の範囲であることで、１．正負極の価数バランスに優れて、電池効率などの電池特性に優れる、２．電池反応の副反応によるガス、例えば水素ガスなどの発生を低減できる、３．アンモニウム−バナジウム化合物といった活物質元素を含む化合物の析出を抑制できる、４．ケイ素に起因する電解液のゲル化などを抑制できる、といった種々の効果を奏する。即ち、上記形態は、不純物元素イオンに由来する不純物元素を含む析出物だけでなく、活物質元素イオンに由来する活物質元素を含む析出物の析出をも抑制でき、長期に亘り、優れた電池特性を有するＲＦ電池システムの構築に寄与する。
【００２６】
（５）  本発明の一態様に係るレドックスフロー電池システムは、上記（１）〜（４）のいずれか一つに記載のレドックスフロー電池用電解液が供給されるレドックスフロー電池を備える。
【００２７】
上記のＲＦ電池システムは、上記のＲＦ電池用電解液を用いるため、配管などに付着し得る析出物の生成を低減でき、この析出物に起因する電解液の圧送損失の増大、熱交換効率の低下、電池特性の低下を抑制できる上に、長期に亘り、配管の閉塞が実質的に生じず、良好に運転できる。
【００２８】
（６）  上記（５）のレドックスフロー電池システムの一例として、上記レドックスフロー電池に対して、上記レドックスフロー電池用電解液の供給及び排出を行う配管と、上記配管の一部に設けられた透明部とを備える形態が挙げられる。上記透明部の透明とは、健常者が、配管内に存在する電解液の流通状態、析出物などの付着の有無、電解液の色や析出物の色などを目視確認できる程度をいい、半透明を含む。
【００２９】
上記のＲＦ電池システムは、上記のＲＦ電池用電解液を用いるため、配管の一部である透明部に付着し得る析出物の生成を低減できる。従って、上記のＲＦ電池システムは、透明部の透明性を長期に亘り維持でき、この透明部を利用した電解液の目視確認などを良好に行えて、維持管理などを行い易い。
【００３０】
［本発明の実施形態の詳細］
以下、本発明の実施形態に係るレドックスフロー電池（ＲＦ電池）用電解液、及びレドックスフロー電池（ＲＦ電池）システムをより詳細に説明する。まず、図１を参照して、実施形態のＲＦ電池システムを説明し、その後、ＲＦ電池用電解液を詳細に説明する。図１のタンク２０，３０内に示すイオンは、ＲＦ電池用電解液中に活物質として含むイオンの一例（元素の種類及び価数の一例）を示す。図１において、実線矢印は、充電、破線矢印は、放電を意味する。
【００３１】
・ＲＦ電池システム
ＲＦ電池は、電池セル部１０を主体とし、代表的には、交流／直流変換器２００や変電設備２１０などを介して、発電部３００（例えば、太陽光発電機、風力発電機、その他、一般の発電所など）と電力系統や需要家などの負荷４００とに接続され、発電部３００を電力供給源として充電を行い、負荷４００を電力提供対象として放電を行う。充放電を行うにあたり、電池セル部１０と、電池セル部１０に電解液を循環させる循環機構（タンク２０，３０、配管２２，３２、ポンプ２４，３４）とを備えるＲＦ電池システム１が構築される。
【００３２】
・・電池セル部
電池セル部１０は、正極電極１４を内蔵する正極セル１２と、負極電極１５を内蔵する負極セル１３と、両極のセル１２，１３を分離すると共に所定のイオンを透過する隔膜１１とを備える。
【００３３】
電池セル部１０は、代表的には、正極セル１２及び負極セル１３の対を複数備えるセルスタックと呼ばれる形態が利用される。正極セル１２及び負極セル１３の対は、一面に正極電極１４、他面に負極電極１５が配置される双極板（図示せず）と、上記双極板の外周に形成される枠部材（図示せず）とを備えるセルフレームを用いた構成が代表的である。セルフレームは、各極の電極１４，１５に各極の電解液をそれぞれ供給する給液孔及び各極の電極１４，１５から各極の電解液をそれぞれ排出する排液孔を有する。複数のセルフレームを積層することで上記給液孔及び上記排液孔は電解液の流路を構成する。これらの流路はそれぞれ、後述の配管２２，３２に接続される。セルスタックは、セルフレーム、正極電極１４、隔膜１１、負極電極１５、セルフレーム、…と順に繰り返し積層されて構成される。
【００３４】
・・循環機構
正極セル１２には、正極電解液を貯留する正極タンク２０が配管２２を介して接続される。負極セル１３には、負極電解液を貯留する負極タンク３０が配管３２を介して接続される。正極側の配管２２のうち、正極タンク２０から電池セル部１０に正極電解液を供給する上流側の配管２２ｇにポンプ２４を備える。負極側の配管３２のうち、負極タンク３０から電池セル部１０に負極電解液を供給する上流側の配管３２ｇにポンプ３４を備える。電池セル部１０は、配管２２，３２、ポンプ２４，３４を利用して、正極セル１２（正極電極１４）及び負極セル１３（負極電極１５）にそれぞれ、正極タンク２０の正極電解液、負極タンク３０の負極電解液を循環供給して、各極の電解液中に含む活物質の金属イオンの価数変化反応に伴って充放電を行う。ＲＦ電池システム１の基本構成は、公知の構成を適宜利用することができる。
【００３５】
・・・配管
配管２２，３２は、代表的には樹脂で構成され、耐候性などを考慮して不透明である。上記樹脂は、ポリ塩化ビニル（ＰＶＣ）、ポリエチレン（ＰＥ）、ポリプロピレン（ＰＰ）、ポリテトラフルオロエチレン（ＰＴＦＥ）に代表されるフッ素系樹脂、その他各種のエチレン共重合体などが挙げられる。
【００３６】
・・・・透明部
配管２２，３２の一部に透明部２６，３６を備えることができる。透明部２６，３６は、例えば、監視窓とし、配管２２，３２内に流通される電解液の流通状態や電解液の色などを目視確認するなど、電解液の維持管理に利用できる。電解液の種類によっては、価数によって色が異なる場合がある。そのため、電解液の色によって、価数状態を（ある程度）把握でき、電解液の価数管理に利用できる。
【００３７】
透明部２６，３６は、例えば、透明樹脂又は半透明樹脂から構成される透明配管によって構成された形態が挙げられる。この形態では、例えば、配管２２，３２の大部分を不透明の配管とし、この不透明の配管の一部に上記透明配管を組み付けることで、不透明の配管の長手方向の一部に、その全周に亘って透明又は半透明な部分を有することになる。
【００３８】
その他、透明部２６，３６は、例えば、不透明の配管の周方向の一部及び長手方向の一部に取り付けられ、透明樹脂又は半透明樹脂から構成される窓部とする形態が挙げられる。
【００３９】
透明部２６，３６の仕様（構成樹脂、長さ、厚さなど）、取付位置、形成個数などは適宜選択できる。下流側の配管２２ｒ、３２ｒの任意の位置、上流側の配管２２ｇ、３２ｇの任意の位置など、所望の場所に設けることができる。図１の取付位置、個数は例示である。
【００４０】
・・・・熱交換部
配管２２，３２の一部に冷却構造を設けることができる。ここで、ＲＦ電池用電解液は、電池反応に伴って発熱する。この発熱により、ＲＦ電池システムでは、電池効率が低下したり、電解液に接する配管２２，３２の構成樹脂が軟化するなどの劣化が生じたりし得る。そこで、配管２２，３２のうち、特に温度が高い電解液が流れ得る下流側の配管２２ｒ，３２ｒの一部に熱交換部２８，３８を備えることが好ましい。
【００４１】
熱交換部２８，３８は、断面積が小さい細い管を用いたり、配管を蛇行させたり、その両方を行ったりなどすることで表面積を大きくした配管冷却領域と、配管冷却領域を強制的に冷却するファンや水冷器などの強制冷却機構とを備える構成が挙げられる。配管２２，３２の冷却構造は、公知の構成を適宜利用できる。
【００４２】
・・ＲＦ電池システムの構成材料
ＲＦ電池システム１を構築する各部材のうち、電解液と接触し得る部材、例えば、両極のタンク２０，３０や配管２２，３２の構成成分が、システム１の運転中に電解液に混入する恐れがある。この混入物が不純物元素イオンとなって、不純物元素イオンの濃度を高める一因となり得る。その結果、不純物元素を含む析出物が形成され、配管２２，３２などに付着し得る。そこで、上記電解液と接触し得る部材の構成材料（上記部材の製造過程で利用し、残存し得る接着剤や離型剤なども含む）には、特にヒ素イオン及びアンチモンイオンを含まない、又は含有量が少ないものを用いることが好ましい。例えば、上記構成材料として、密度（ＡＳＴＭ  Ｄ  １５０５）が０．０８０ｇ／ｃｍ３以上０．９６０ｇ／ｃｍ３以下、かつメルトフローレート（ＡＳＴＭ  Ｄ  １２３８，測定条件：温度１９０℃、荷重２．１６ｋｇ）が０．０１ｇ／１０分以上２０ｇ／１０分以下を満たすポリエチレン、エチレン・αオレフィン共重合体などが挙げられる。
【００４３】
・ＲＦ電池用電解液
ＲＦ電池システム１に利用する実施形態のＲＦ電池用電解液は、活物質となる金属イオンを含有する溶液であり、種々の不純物元素イオンを含み得る。実施形態のＲＦ電池用電解液では、不純物元素イオンとしてヒ素イオン及びアンチモンイオンを含み得るものの、ヒ素イオン及びアンチモンイオンの合計濃度が低い点を特徴の一つとする。以下、この特徴点をまず説明する。
【００４４】
・・不純物元素イオン
実施形態のＲＦ電池用電解液は、不純物元素イオンであるヒ素（Ａｓ）イオン及びアンチモン（Ｓｂ）イオンの合計濃度が１５質量ｐｐｍ以下である。この範囲を満たすことで、ＲＦ電池システム１を運転した場合に、経時的に、ヒ素及びアンチモンの少なくとも一方の元素を含む化合物、特にヒ素及びアンチモンの双方の元素を含む化合物が生成されることを低減できる。即ち、上記化合物が析出物として配管２２，３２などに付着することを効果的に低減できる。上記合計濃度が低いほど、上記析出物の量を低減できて好ましく、１４．５質量ｐｐｍ以下、更に１４質量ｐｐｍ以下、１３．５質量ｐｐｍ以下がより好ましい。後述する試験例に示すように、少なくとも未使用の状態のＲＦ電池用電解液について、上記合計濃度が上記の範囲を満たすことが好ましいと考えられる。
【００４５】
ヒ素イオンの濃度及びアンチモンイオンの濃度もそれぞれ、上述の析出物量の低減を考慮すると、低い方が好ましい。ヒ素イオンは、１０質量ｐｐｍ以下が好ましく、更に９質量ｐｐｍ以下、８質量ｐｐｍ以下、６質量ｐｐｍがより好ましい。ヒ素イオンの濃度が低い場合には、ヒ素を含む化合物の析出量を低減できることに加えて、ヒ素を含む有害なガス、例えば負極から発生し得るアルシン（ＡｓＨ３）などの生成量も低減できる。アンチモンイオンの濃度は、１０質量ｐｐｍ以下が好ましく、更に９質量ｐｐｍ以下、８質量ｐｐｍ以下、６質量ｐｐｍがより好ましい。アンチモンイオンの濃度が低い場合には、アンチモンを含む化合物の析出量を低減できることに加えて、アンチモンを含む有害なガス、例えば負極から発生し得るスチビン（ＳｂＨ３）などの生成量も低減できる。ＲＦ電池システム１として、特許文献２などに記載されるようにフィルタなどのガス除去装置を取り付けた構成とすると、上記有害なガスを無害化して、システム１外に排出できる。
【００４６】
ヒ素とアンチモンとは周期表１５族の同族元素であり、かつ周期が近い（ヒ素は４周期の元素、アンチモンは５周期の元素）。そのため、両元素は同様な性質、具体的には、自身を含む化合物を形成して析出したり、自身を含む有害なガスを生成したりするという性質を示すと考えられる。実施形態のＲＦ電池用電解液では、類似する性質を有すると考えられる複数の特定の不純物元素イオンの含有量を特定の範囲とすることで、不純物元素イオンに由来する析出物であって配管２２，３２などに付着し得る析出物を効果的に低減できると考えられる。
【００４７】
・・不純物元素イオンの低減方法
ＲＦ電池用電解液中のヒ素イオン及びアンチモンイオンの濃度を低減するには、例えば、以下の対策などが利用できる。
（１）電解液の製造過程で、ヒ素及びアンチモンの含有量が少ない、好ましくは含んでいない原料（活物質、溶媒など）を用いる
（２）電解液の製造過程に利用する部材として、その構成成分にヒ素及びアンチモンの含有量が少ない、好ましくは含んでいないものを用いる
（３）電解液の搬送、保管などの過程で利用する部材（輸送タンクや保管タンクなど）として、その構成成分にヒ素及びアンチモンの含有量が少ない、好ましくは含んでいないものを用いる
（４）電解液に対して、ヒ素イオン及びアンチモンイオンを除去する後述の除去操作を行う
（５）ＲＦ電池システム１を構築する部材のうち、上述した電解液と接触し得る部材として、その構成成分にヒ素及びアンチモンの含有量が少ない、好ましくは含んでいないものを用いる
【００４８】
ＲＦ電池用電解液中のヒ素イオン及びアンチモンイオンの除去操作は、凝集沈殿、溶媒抽出、イオン交換樹脂やキレート樹脂を用いた濾過、電解析出、膜分離などといった元素イオンの除去が可能な種々の方法を利用できる。公知の方法を利用してもよい。特に、キレート樹脂を用いた濾過では、キレート樹脂の物性や電解液のｐＨを調整することで、特定の元素イオンを選択的に濾過できる。この濾過は、キレート樹脂製のフィルタ、又はキレート樹脂をビーズ状にして充填したカラムなどにＲＦ電池用電解液を通液することで行える。なお、この除去操作を行うことで、ＲＦ電池用電解液中に存在し得るヒ素イオン及びアンチモンイオン以外の不純物元素イオンを同時に除去することがある。
【００４９】
上述の除去操作は、任意の時期に行える。即ち、ＲＦ電池用電解液をＲＦ電池システム１に供給する前だけでなく、システム１の運転中であって待機期間や停止期間などに電解液中の成分分析を行い、その結果に応じて、上述の除去操作を行うことができる。こうすることで、システム１の運転前は勿論、運転中においても、ＲＦ電池用電解液中のヒ素イオン及びアンチモンイオンの濃度を特定の範囲にすることができる。その結果、システム１を長期に亘り運転しても、配管２２，３２などに付着し得る析出物を低減できる。
【００５０】
・・活物質
実施形態のＲＦ電池用電解液は、種々の活物質を含むことができる。例えば、両極の活物質がバナジウムイオンである全バナジウム系電解液（図１参照）、正極活物質が鉄イオン、負極活物質がクロムイオンである鉄−クロム系電解液、正極活物質がマンガンイオン、負極活物質がチタンイオンであるマンガン−チタン系電解液（二液型）、両極にマンガンイオン及びチタンイオンを含むマンガン−チタン系電解液（一液型）などとすることができる。特に、全バナジウム系電解液では、電解液の製造過程などでヒ素イオンやアンチモンイオンを含み得る可能性があるため、上述の除去操作などを適宜行うことが望まれる。
【００５１】
実施形態のＲＦ電池用電解液を全バナジウム系電解液とする場合、正極電解液及び負極電解液におけるバナジウムイオン濃度は１ｍｏｌ／Ｌ以上３ｍｏｌ／Ｌ以下が好ましく、１．２ｍｏｌ／Ｌ以上２．５ｍｏｌ／Ｌ以下、更に１．５ｍｏｌ／Ｌ以上１．９ｍｏｌ／Ｌ以下がより好ましい。この効果は後述する。
【００５２】
実施形態のＲＦ電池用電解液を全バナジウム系電解液とする場合、バナジウムイオンの平均価数は３．３以上３．７以下、更に３．４以上３．６以下が好ましい。この場合、両極の価数バランスに優れ、電池反応を良好に行えて、電池効率やエネルギー密度といった電池特性に優れる。また、価数バランスに優れることで、電池反応の副反応の発生を低減し易い。ＲＦ電池用電解液が水溶液の場合には、副反応によって負極では水素が発生し得る。副反応の発生を低減することで、水素の発生量を低減でき、例えば水素を含む水素化物ガスなどの発生も低減できる。
【００５３】
・・溶媒、その他含有し得るもの
実施形態のＲＦ電池用電解液は、上記活物質を含む酸溶液、特に酸の水溶液とすることができる。酸溶液は、例えば、硫酸（Ｈ２ＳＯ４）、Ｋ２ＳＯ４、Ｎａ２ＳＯ４、リン酸（Ｈ３ＰＯ４）、Ｈ４Ｐ２Ｏ７、Ｋ２ＨＰＯ４、Ｎａ３ＰＯ４、Ｋ３ＰＯ４、硝酸（ＨＮＯ３）、ＫＮＯ３、塩酸（ＨＣｌ）及びＮａＮＯ３から選択される少なくとも１種の酸又は塩を含むものが挙げられる。その他、有機酸溶液とすることができる。
【００５４】
実施形態のＲＦ電池用電解液を、リン酸を含む硫酸溶液の全バナジウム系電解液とする場合、バナジウムイオン濃度が上述の特定の範囲を満たすと共に、フリーの硫酸の濃度が１ｍｏｌ／Ｌ以上４ｍｏｌ／Ｌ以下、リン酸の濃度が１．０×１０−４ｍｏｌ／Ｌ以上７．１×１０−１ｍｏｌ／Ｌ以下、アンモニウム（ＮＨ４）の濃度が２０質量ｐｐｍ以下、ケイ素（Ｓｉ）の濃度が４０質量ｐｐｍ以下を満たすことが好ましい。バナジウムイオンの濃度及びフリーの硫酸の濃度を上述の範囲とすることで、上述の価数バランスに優れる電解液とすることができる。また、バナジウムイオン濃度、フリーの硫酸の濃度、リン酸濃度が上述の特定の範囲を満たす組合せは、活物質元素を含む析出物、即ちバナジウム化合物が析出し難く、長期に亘り、優れた電池性能を有することができる。アンモニウム濃度が上述の特定の範囲を満たす場合には、上記バナジウム化合物のうち、アンモニウム−バナジウム化合物の析出を抑制し易い。ケイ素が上述の特定の範囲を満たす場合には、隔膜１１に悪影響を与え得る現象の発生を低減できる。即ち、この形態は、不純物元素イオンに由来する析出物に加えて、活物質元素イオンに由来する析出物の発生をも低減できる上に、電池反応を良好に行えるといえる。
【００５５】
更に、バナジウムイオン濃度、フリーの硫酸の濃度、リン酸濃度、及びアンモニウム濃度が上述の特定の範囲を満たす組合せにおいて、フリーの硫酸の濃度は、１．５ｍｏｌ／Ｌ以上３．５ｍｏｌ／Ｌ以下がより好ましい。また、リン酸の濃度は、１．０×１０−３ｍｏｌ／Ｌ以上３．５×１０−１ｍｏｌ／Ｌ以下がより好ましい。アンモニウムの濃度は、１０質量ｐｐｍ以下がより好ましい。ケイ素の濃度は、３０質量ｐｐｍ以下がより好ましい。アンモニウムの濃度及びケイ素の濃度を低減するには、フィルタを用いた濾過など公知の手法（特許文献１など参照）が利用できる。
【００５６】
［試験例１］
種々のＲＦ電池用電解液を用意して、ＲＦ電池システムに循環供給して充放電試験を行った後、システムに備える配管を目視確認した。
【００５７】
この試験では、ＲＦ電池（電池セル部）として電池セル（正極セル及び負極セルの組）を複数積層したセルスタックと、セルスタックに電解液を循環供給する循環機構として配管、ポンプ、タンクとを備えるＲＦ電池システムを構築した（図１参照）。セルスタックの各電池セルは、電極面積が５００ｃｍ２であるカーボンフェルト製の電極と、セルフレームとによって構築した。このＲＦ電池システムは、出力１ｋＷで５時間の容量を有するものである。
【００５８】
この試験では、上記配管の一部に透明部として透明配管を備えるＲＦ電池システムを構築した。透明配管は、構成材料が硬質塩化ビニル（ポリ塩化ビニル）、寸法が内径１６ｍｍφ、外径２２ｍｍφ、厚さ３ｍｍ、長さ１５ｃｍである。透明配管の設置個所は、以下の４か所とした。
【００５９】
１．正極タンクの供給口からＲＦ電池（電池セル部を構成するセルスタック）の導入口までの間。図１では、正極上流側の配管２２ｇの一部。（表１の透明配管１）
２．セルスタックの排出口から正極タンクの戻り口までの間。図１では、正極下流側の配管２２ｒの一部。（表１の透明配管２）
３．負極タンクの供給口からセルスタックの導入口までの間。図１では、負極上流側の配管３２ｇの一部。（表１の透明配管３）
４．セルスタックの排出口から負極タンクの戻り口までの間。図１では、負極下流側の配管３２ｒの一部。（表１の透明配管４）
【００６０】
この試験で用意したＲＦ電池用電解液は、両極の活物質としてバナジウムイオンを含む硫酸水溶液、即ち全バナジウム系電解液とした。各試料について用意した電解液量はいずれも、正極電解液が１７５リットル、負極電解液が１７５リットルである（正負合計で３５０リットル）。また、各試料のＲＦ電池用電解液はいずれも、以下の成分は共通とした。
【００６１】
電解液中の濃度（各試料について共通）
・バナジウムイオンの濃度：１．７ｍｏｌ／Ｌ
・バナジウムイオンの平均価数：３．５
・フリーの硫酸の濃度：２．０ｍｏｌ／Ｌ
・リン酸の濃度：０．１４ｍｏｌ／Ｌ（１．４×１０−１ｍｏｌ／Ｌ）
・アンモニウムの濃度：２０質量ｐｐｍ以下
・ケイ素の濃度：４０質量ｐｐｍ以下
なお、上記のフリーの硫酸の濃度は硫酸イオン濃度ではない。電解液は、硫酸バナジウム、水、硫酸から構成されており、電解液中の硫酸イオン濃度は、硫酸バナジウムに由来するものと、硫酸に由来するものとからなる。この硫酸から由来するものをフリーの硫酸の濃度と定義する。
【００６２】
試料Ｎｏ．１−１〜１−６のＲＦ電池用電解液については、キレート樹脂を充填したカラムに通液させて、不純物元素イオンの濃度調整を行ったものを後述の濃度測定に供した。
【００６３】
後述する充放電試験前に、用意した各試料のＲＦ電池用電解液の成分分析を行い、ヒ素イオンの濃度、及びアンチモンイオンの濃度を測定した。その結果を表１に示す。濃度の測定には、ＩＣＰ質量分析装置（Ａｇｉｌｅｎｔ  Ｔｅｃｈｎｏｌｏｇｉｅｓ．  Ｉｎｃ．製、Ａｇｉｌｅｎｔ  ７７００ｘ  ＩＣＰ−ＭＳ）を用いた。
【００６４】
用意した各試料のＲＦ電池用電解液をＲＦ電池システムに循環供給して、以下の条件で、充放電試験を行った。ここでは、１００サイクル行った。この充放電試験後、上述の４か所の透明配管の目視確認を行った。その結果を表１に示す。目視確認は、複数（ここでは４人）の健常者が行い、４人中１人以上が透明配管内の電解液を確認できない場合は透明配管に析出物が付着して透明性が劣化しているとしてＢａｄ、４人全員が透明配管内の電解液を確認できる場合は透明配管に析出物の付着が少ない又は付着しておらず透明性が維持されているとしてＧｏｏｄと評価した。
【００６５】
（充放電条件）
充放電方法  ：定電流の連続充放電
電流密度    ：７０（ｍＡ／ｃｍ２）
充電終了電圧：１．５５（Ｖ）／セル
放電終了電圧：１．００（Ｖ）／セル
温度        ：室温（２５℃）
【００６６】
【表１】
2016017393.tif 000003
【００６７】
表１の試料Ｎｏ．１−１〜１−６に示すように、ヒ素イオン及びアンチモンイオンの合計濃度が１５質量ｐｐｍ以下であれば、透明配管の透明性を維持できる程度に配管に付着し得る析出物を低減できることが分かる。更に、ヒ素イオンの濃度及びアンチモンイオンの濃度がそれぞれ１０質量ｐｐｍ以下であり、透明性はＧｏｏｄの評価であった。特に、試料Ｎｏ．１−４及び１−５では、ヒ素イオン及びアンチモンイオンの合計濃度が１３．５質量ｐｐｍ以下となっており、他の試料に比較してより高い透明性が維持できることが判った。更に、ヒ素イオンの濃度及びアンチモンイオンの濃度が低いから、ヒ素を含むガスやアンチモンを含むガスの発生も少なく、上記ガスの発生も十分に低減できた。その他、カーボンフェルト製の電極などを調べたところ、アンモニウム−バナジウム化合物といった活物質元素を含む析出物の付着も低減できていた。
【００６８】
一方、試料Ｎｏ．１−１００及び１−１１０については、透明配管内に析出物が付着して透明性が劣化していることが確認できた。試料Ｎｏ．１−１１０では、ヒ素イオン及びアンチモンイオンとも濃度が１０質量ｐｐｍ以下であったが、ヒ素イオン及びアンチモンイオンの合計濃度が１５質量ｐｐｍを超えており透明配管の透明性の評価はＢａｄであった。付着していた析出物の成分をエネルギー分散型Ｘ線分析装置（株式会社日立ハイテクノロジーズ製  Ｓ−３４００Ｎ）によって調べたところ、ヒ素及びアンチモンを主成分としていた。このことから、不純物元素イオンのうち、その元素イオン自体を含む化合物が析出物として生成され、かつこのような析出物のうち、少なくとも一部は配管に付着し得るものが存在し得ることが確認できた。
【００６９】
表１の結果から、ＲＦ電池用電解液中のヒ素イオン及びアンチモンイオンの合計濃度を１５質量ｐｐｍ以下とすることで、不純物元素イオンに由来する析出物の発生を低減できることが確認できた。特に、この試験から、ＲＦ電池システムの運転前（未使用の状態）において、ＲＦ電池用電解液中のヒ素イオン及びアンチモンイオンの合計濃度を１５質量ｐｐｍ以下にすることが好ましいといえる。また、この点から、ＲＦ電池システムの運転開始から、使用期間が短い間（ＲＦ電池の容量などにもよるが、例えば、容量が１０ｋＷｈ以上の電池では、１００サイクル以内程度）に、上記合計濃度の調整を行うことが好ましいと考えられる。そして、上記析出物の発生を低減できたことで、このような析出物に起因する不具合、即ち圧損の増大、熱交換効率の低下、電池特性の低下、透明性の低下などを効果的に抑制できると期待される。なお、ＲＦ電池システムの充放電中、充放電後にＲＦ電池用電解液中のヒ素イオンの濃度及びアンチモンイオンの濃度の少なくとも一方が変化する可能性があるため、上述の除去作業などを適宜な時期に行うとよい。
【００７０】
本発明は、これらの例示に限定されるものではなく、請求の範囲によって示され、請求の範囲と均等の意味及び範囲内での全ての変更が含まれることが意図される。例えば、上記の試験例において、活物質の種類・濃度、各極の電解液の酸の種類・酸濃度、電解液の量、電極の大きさやＲＦ電池の容量などを適宜変更することができる。
【産業上の利用可能性】
【００７１】
本発明のレドックスフロー電池は、太陽光発電、風力発電などの自然エネルギーの発電に対して、発電出力の変動の安定化、発電電力の余剰時の蓄電、負荷平準化などを目的とした大容量の蓄電池に利用できる。また、本発明のレドックスフロー電池は、一般的な発電所に併設されて、瞬低・停電対策や負荷平準化を目的とした大容量の蓄電池として利用できる。本発明のレドックスフロー電池用電解液は、上述のレドックスフロー電池の電解液に利用できる。
【符号の説明】
【００７２】
１  レドックスフロー電池システム
１０  電池セル部（ＲＦ電池）  １１  隔膜  １２  正極セル  １３  負極セル
１４  正極電極  １５  負極電極  ２０  正極タンク  ３０  負極タンク
２２，２２ｇ，２２ｒ，３２，３２ｇ，３２ｒ  配管
２４，３４  ポンプ  ２６，３６  透明部  ２８，３８  熱交換部
２００  交流／直流変換器  ２１０  変電設備  ３００  発電部  ４００  負荷
【図１】
2016017393.tif 000004
【手続補正書】
【提出日】平成29年1月23日(2017.1.23)
【手続補正１】
【補正対象書類名】特許請求の範囲
【補正対象項目名】全文
【補正方法】変更
【補正の内容】
【特許請求の範囲】
【請求項１】
ヒ素イオン及びアンチモンイオンの合計濃度が１５質量ｐｐｍ以下であり（但し、ヒ素イオンの濃度が１質量ｐｐｍ以下かつアンチモンイオンの濃度が１質量ｐｐｍ以下である場合を除く）、
バナジウムイオンの濃度が１ｍｏｌ／Ｌ以上３ｍｏｌ／Ｌ以下、
フリーの硫酸の濃度が１ｍｏｌ／Ｌ以上４ｍｏｌ／Ｌ以下、
リン酸の濃度が１．０×１０−４ｍｏｌ／Ｌ以上７．１×１０−１ｍｏｌ／Ｌ以下、
アンモニウムの濃度が２０質量ｐｐｍ以下、
ケイ素の濃度が４０質量ｐｐｍ以下であるレドックスフロー電池用電解液。
【請求項２】
前記ヒ素イオンの濃度が１０質量ｐｐｍ以下である請求項１に記載のレドックスフロー電池用電解液。
【請求項３】
前記アンチモンイオンの濃度が１０質量ｐｐｍ以下である請求項１又は請求項２に記載のレドックスフロー電池用電解液。
【請求項４】
請求項１〜請求項３のいずれか１項に記載のレドックスフロー電池用電解液が供給されるレドックスフロー電池を備えるレドックスフロー電池システム。
【請求項５】
前記レドックスフロー電池に対して、前記レドックスフロー電池用電解液の供給及び排出を行う配管と、
前記配管の一部に設けられた透明部とを備える請求項４に記載のレドックスフロー電池システム。
【国際調査報告】
2016017393.tif 000005
2016017393.tif 000006
2016017393.tif 000007
2016017393.tif 000008